(57)【要約】【目的】被装飾品がブローチのように平面でも、指輪のように湾曲面や輪状でも装着でき、様々な色調のキラキラ感を得られる装飾部材を得たい。更には防水性を有し被装飾品の形状に全くこだわることなく装着できる装飾部材としたい。【構成】着色の集合糸にラメ糸を絡めた飾り糸とし、これをその侭か更に撚り合せた太目の飾り糸を、被装飾品の基材表面上に直接並列密着巻した後、並列密着巻部分を透明合成樹脂で包封固着させた飾り糸による装飾部材とする。又は作業用台材上に並列密着巻した後に、透明合成樹脂にて仮固定して装飾面を得たものを台材から離脱させて適宜の形に切断し、被装飾部の基材表面上に貼り付けた後に透明合成樹脂にて包封固着させた装飾部材とする。【選択図】        なし【特許請求の範囲】
【請求項１】
複数のフィラメントを集合着色した糸に、光輝反射するラメ糸を適宜絡めて１本の飾り糸と成し、この飾り糸をその侭、若しくは更に複数本絡めた太目の飾り糸としたものを、採用する装飾具や装飾品の基材の表面上に並列密着巻した後に、少なくとも並列密着巻した部分を透明合成樹脂にて包封固着させてなる飾り糸による装飾部材。
【請求項２】
装飾具や装飾品の基材が、適宜な幅を有したリング体である請求項１記載の飾り糸による装飾部材。
【請求項３】
装飾具や装飾品の基材が、方形平板体である請求項１記載の飾り糸による装飾部材。
【請求項４】
複数のフィラメントを集合着色した糸に、光輝反射するラメ糸を適宜絡めて１本の飾り糸と成し、この飾り糸をその侭、若しくは更に複数本絡めた太目の飾り糸としたものを、適当なる作業用台材の表面上に並列密着巻した後に、少なくとも並列密着巻部分を透明合成樹脂にて仮固定して飾り糸の装飾面を得て、上記作業用台材から該飾り糸の装飾面を離脱させたる後、適宜の形に切断し、その切断部分を装飾具や装飾品の基材の表面上に貼り付けた後、透明合成樹脂にて包封固着させてなる飾り糸による装飾部材。
【発明の詳細な説明】
【０００１】
【発明の属する技術分野】
この発明は，腕輪・指輪・耳輪等のリング状装身具や、ブローチ・バックル・キーホルダー等の平面状の装飾面に採用するものであり、色糸とラメ糸とで成る混合の所謂飾り糸を密着巻した上に透明樹脂にて覆い、光の反射・屈折・干渉等により綺麗な装飾面を得ようとした装飾部材である。
【０００２】
【従来の技術】
従来市販されている装身具や装飾品には、それこそデザインを含めて多種多様なものがあり正に様々である。
それらの装飾は、平面上に画いた絵画的なもの、平板を彫刻してやや立体的にしたもの、宝石を含めた立体的なもの３様に大別されようが、それらの中には光の反射・屈折・干渉等を利用して光輝の「キラキラ感」を強調した装飾がある。
【０００３】
従来のキラキラ感を出す方法も様々なものがある。その内の数ある先行技術文献情報の内３例を示すと次のようなものがある。
例えば、着色フイルムやフイルムに金銀等の蒸着膜を形成させたものを細かく裁断して、リング状中空パイプの中の液体中に浮遊させ、光の乱反射やフイルムの反射干渉膜を利用してキラキラ感を出したものを、腕輪や指輪に採用しようとする発明の名称「装身具」というのがある。
これは、細かい裁断フイルムが、液体中で動き得て、リング内のあちこちでキラキラと輝くことに特徴がある。（例えば、特許文献１参照。）。
【０００４】
似たようなものだが、ポリエチレンの方向性を利用して、その方向性が直交するように交互に積層させたものを、その積層後の両面を透明なフイルムで被覆して、更にこれを細かく裁断したものを、被装飾体であるブローチ・カフス・イヤリング等の主材に塗布する考案の名称「装飾体」がある。
これは、多層のポリエチレン薄膜が、光線を反射して光の干渉作用を生じ、虹色のキラキラ感を呈するものである。（例えば、特許文献２参照。）。
【０００５】
また、微細なケイ素球の集合体で形成されるシート状オパール素材の裏面に、ケイ素球が離散しないよう柔軟性の裏面シートを貼着しておき、そのオパール素材の厚み方向には微細な亀裂を入れた構成で、これを変形させると微細な亀裂が動いてキラキラ感が出るようにした考案の名称「装飾部材」というのがある。（例えば、特許文献３参照。）。
【０００６】
【特許文献１】
特開平０８−０３３５１３号公報（明細書１頁）
【特許文献２】
実全昭５７−０７３１３０号公報（明細書２頁）
【特許文献３】
実開平０５−０３７１１４号公報（明細書１頁）
【０００７】
これらは極一例であって、似たような先願技術公報が数百もある。
ところで、撚糸を用いた装飾品も結構多くあるが、当然ながら適当な太さの色撚糸や毛糸等で巻き上げた鞠や、一端を束ね下げる房類を始めとして、編み込んだりして成る布製装飾品の先願技術公報も結構多い。
それ等の中には、複数のフィラメントを集合着色した糸を、他の色に着色した糸とで適宜撚り合わせ１本の「飾り糸」としたものを用いているものもある。
【０００８】
更に、ラメ糸とかメタリックヤーンと称せられる例えば極細銅線を平らに圧延して得た細巾の平角線を金・銀メッキしたものや、最近は細巾のプラスチックフイルムに金属蒸着膜を施した光輝反射するものをも用いられている。
すなわち、このラメ糸は、よく光輝反射するので、キラキラ感を得ようと着色より糸に絡めて１本の「飾り糸」としたものをも採用されているのである。
【０００９】
しかしながら、それらはいずれもそれ自体をその侭露出した侭で、すなわち、編んだり織込んだりした色々の形状にしただけのものであって、その「飾り糸」を透明樹脂等で覆って動かなく固定化した装飾部材として用いるアイデアは全く見当たらなかった。
【００１０】
【発明が解決しようとする課題】
この発明は、様々な色調のキラキラ感が得られる装飾部材を創出しようと考え出したものであり、それも、装飾部材そのものは、敢えて動かさずとも十分にキラキラ感を得られるものとするのが目的である。
それに加えて、色調の異なる素材とキラキラ感を得られる素材とを組合せることによって様々な色調の装飾部材を得られるようにすることも目的である。
【００１１】
それも、装飾部材として基本的に得られる装飾面そのものは、比較的平面状のものとして表わされるものであるとしたい。
すなわち、装飾用ボタン・ブローチ・メダル・バッジ・バックル・キーホルダーや、その他ネクタイ・ネッカチーフ等のピン類等の装飾部材として用いたい。
【００１２】
更には、装飾面の採用先によっては、その取り付け部分が湾曲面や輪状であっも装着が容易のようにしたいのである。
すなわち、指輪・腕輪・足首輪・輪状のイヤリングは勿論のこと、例えばヘアーブラシの柄・花瓶等、断面が楕円を含めて丸い物なら何にでも用いられるようにしたいのである。
【００１３】
もっとも、被装飾品の形状には全くこだわることはなく、例えば宝石箱・室内アクセサリー・壁掛け等や、耐水性を要求される例えば傘の柄・釣竿の柄部分や、更には瀬戸物である食卓用品の装飾等にも採用できるように是非、防水性をも加味したいのである。
【００１４】
【課題を解決するための手段】
それらの目的を達成するために、被装飾面が凹凸面であってもフィットするように、素材としては柔らかなもの、すなわち様々な色糸とラメ糸とで成る混合糸である所謂「飾り糸」を用いることにした。
そして、それを密着並列巻した上を、透明樹脂にて覆うことによって、飾り糸の並列巻部分を包封固定させ、目視の角度等によってキラキラ感が表出するようにすると共に防水性をも持たせるようにした。
【００１５】
すなわち、複数のフィラメントを集合着色した糸に、光が当った時に光輝反射するラメ糸を適宜絡めて１本の飾り糸とする。
そして、この飾り糸をその侭で用いるか、若しくは更に複数本絡めた太目の飾り糸としたものを、採用しようとする被装飾品の基材の表面上に並列密着巻した後に、少なくとも並列密着巻した部分を透明合成樹脂にて包封固着させてなる飾り糸による装飾部材を基本とした。
【００１６】
この基本とは、被装飾品の基材面に、直接に飾り糸を並列密着巻できる場合を示すものである。
当然、被装飾品の中には、その基材が、巻巾のある「リング体」であるものと方形状平板体」であるものとに分かれる。
【００１７】
それ故、被装飾品の形状によっては、その装飾具や装飾品の基材面に飾り糸を直接巻くことが出来ないものがあり、その場合は次のようになる。
すなわち、複数のフィラメントを集合着色した糸に、光輝反射するラメ糸を適宜絡めて１本の飾り糸とする。そして、この飾り糸をその侭で用いるか、若しくは更に複数本絡めた太目の飾り糸としたものを、先ず巻線可能な適当なる作業用台材の表面上に並列密着巻する。
【００１８】
次に、少なくとも並列密着巻した部分を透明合成樹脂にて仮固定して飾り糸の装飾面を得ておくのである。
そして、仮固定の透明合成樹脂が乾燥した後に、作業用台材から飾り糸の装飾面を離脱させて求める形に切断し、その切断部分を被装飾品の基材の表面上に貼り付け、透明合成樹脂にて包封固着させて被装飾品を完成させるのである。
【００１９】
なお、様々な異なる色調の異なる装飾部材を製造するには、当然、複数の異色の色糸とラメ糸とを使い分けることになる。
すなわち、前述の色糸とラメ糸とで成る飾り糸を用いるが、それも単独で密着巻したものや、他色の飾り糸と混合させて密着巻するなど自由に組合せをすればよいのである。
【００２０】
【発明の実施の形態】
この発明に採用する飾り糸は、撚り合わせ本数も様々で、見掛け上の太さでは１ｍｍ位にもなるものもあるが、実際に巻付ける時には平に潰れてしまう。
したがって、並列密着巻すれば一重巻きでよいのだが、巻き終わった後の透明合成樹脂であるエポキシ樹脂等の塗布にて、固まる前に毛細管現象で樹脂が巻線部に浸透して行き、時には表面張力で飾り糸が縮んで隙間を生ずるから、巻線作業時の飾り糸の横送り、すなわちトラバーサーをやや遅く送るようにする。
勿論、飾り糸に無駄が生ずるが二重以上に巻線しても構わない。
【００２１】
飾り糸の巻線部分を透明樹脂にて覆うことによって、当然、防水性が得られると共に巻線部分が固定されるが、この発明の主要部である視覚による「キラキラ感」が得られるようにもなるのである。
その理由としては、装飾部材に入った光は、飾り糸を構成している着色糸からの反射光と共に、着色糸に絡められたラメ糸からも反射して来るが、その際、着色糸の表面は平らに均一ではないから乱反射のようになる。
【００２２】
それも、沢山のフイラメントで構成されているから、それぞれにて反射して、乱反射が沢山行われるし、加えてラメ糸からの反射は糸よりも反射率が遥かに大きいから、光輝反射として視覚に訴える度合いが大きく強烈である。
その上、透明樹脂層の存在にて光の内部反射や屈折が生じて、様々な光線の干渉が起こり、採用した色糸とも色感を微妙に異にする色に感ずるのである。
【００２３】
色によって僅かでも波長が異なる光線は、屈折率の異なる透明樹脂層を経て目に入ることによりまた微妙な変化が得られるものと考えられる。
したがって、採用する飾り糸によっては、虹色に見えたりホログラムのように淡い感じになったりする面白さを生ずる楽しみがある。
【００２４】
このように、単なる色糸が巻かれているものとは違った感じの色感が得られるし、何と言っても光輝反射するラメ糸の存在が大きくキラキラ感を得られるようにしていることは間違いない。
それも、ラメ糸が色糸に巻き付いているから、ラメ糸の見える所と見えない所が交互にあることになるから、色糸に対するラメ糸の巻き付けピッチを適宜設定することによってキラキラ度合いを調整することができることになる。
【００２５】
【実施例】
実施例としては、その例を挙げるには際限がないし，反面、いずれを挙げてもよいとも言えるので一例のみを説明する。また、図示してもこの発明のキラキラ感を図では表現が不可能だから、図面は省略した。
例えば、市販されている色糸の太さは０．１４ｍｍ〜０．８ｍｍものまであるし、当然ながらもっと太いものも製造できる。しかしながら、見掛け上が太くとも巻き付ければ潰れて平になることは前述した。
【００２６】
飾り糸は並列して密着巻きするので、一定の巾を巻き上げるには太い方が能率がよいことは言うまでもない。ただし、太い飾り糸を巻いた場合は、細い飾り糸の場合よりも巻き上がった表面に凹凸感を生ずるが、飾り糸は潰れて平になる上に、エポキシ樹脂などで被覆するので問題はないのである。
かえって、凹凸のあった方が光の反射や干渉に微妙な影響を与えて面白い。
【００２７】
発明者は実施例として、飾り糸を３本の黄色の糸に２本のラメ糸を撚り合わせて１本としたものを、更に３本撚り合わせて見掛け上１ｍｍ位の太さのものとした。この飾り糸では、ラメ糸の表出するピッチを３ｍｍ位とした。
これを、巻巾５ｍｍ程になるように両縁を僅か残して０．５ｍｍ程削り下げたリング表面に、隙間の空かぬよう一層のみ並列密着巻きをして、その上を通常用いる２液性エポキシの透明コーティング剤を塗布し、乾燥硬化させて指輪を得た。
結果は、全体には黄色に見えるが細かいキラキラが散在している。しかも指の僅かな動きに連れてキラキラが跳ね動くように見え、従来にない指輪となった。
【００２８】
被装飾品が、平板状でその両面を装飾するものなら、リングの場合に似せて巻けばよいし、片面のみが対象ならば、直接巻くのではなく別の作業用台板に巻けばよいことは前述した通りである。
なお、防水性があるから食器類の装飾に採用すれば、陶器や磁器と飾り糸との組合せという新たな感覚の食卓を演出できるようになる。
【００２９】
以上詳記のように作業すれば、前述したどのような被装飾品である装飾具、いや、日用品など実用品にも適用できる装飾部材となる。
なお、仕上用の透明塗料も、厳密には飴色がかっているから、飾り糸の本来の色調がかなり押さえられてしまうのが実態であるし、また、均一に整列して綺麗に巻くのは面倒であるが、綺麗に整列したものもよいが、かえって、ラフに巻いたものの方がキラキラ感に変化があって面白いとも言える。
【００３０】
また、当然ながら様々な異なる色調を演出できるようにするには、複数の異色の色糸とラメ糸とを組合せればよく、それらのことによって得られる色調感の種類は無限にあるとも言えるのである。
それ故、装飾部材としても無限に異なる色調感のものが提供可能となる。
【００３１】
【発明の効果】
この発明は，色糸にラメ糸を加えた「飾り糸」を用いたから、柔軟性があり被装飾品の形状には全くこだわらずにフィットさせ得て、ラメ糸があるからキラキラ感が得られるし、装飾部材そのものを敢えて動かさずとも見る角度によって十分にキラキラ感が得られるようになった。
それも、色調の異なる素材とキラキラ感を得られる素材とを組合せることによって無限に近い色調違いの装飾部材が得られるようになるのである。
【００３２】
被装飾面が平面状のものとしては、ブローチ・メダル・バッジ等に、装飾面が湾曲面や輪状のものは、指輪・腕輪等の装身具を始め、防水性もあるから傘の柄・花瓶・釣竿の柄等にも適用できる。
更に、被装飾品の形状には全く関係なく、宝石箱等から食卓用品にも採用できる如く、あらゆる生活上の実用品にまで新たな感覚の装飾面を与えることができるようになり、日常生活に新たな演出と潤いをを与える素晴らしい発明である。